(57)【特許請求の範囲】
【請求項１】
外壁パネルが複数並べられた外壁構造であって、
上記外壁パネルは、表面に上下方向の全長に亘って途切れることなく形成された凹溝を有し、
左右に並ぶ上記外壁パネル間には、上記外壁パネルの上記凹溝と略同じ幅の縦目地が設けられており、
上記縦目地にはシーリング材が充填されており、
上記シーリング材には、上記外壁パネルの上記凹溝と同じ幅である凹溝が生じており、
上記外壁パネルの上記凹溝の深さが、硬化後の上記シーリング材の凹溝の深さと同じであり、
上記外壁パネルの上記凹溝は、幅方向両側に形成された一対の傾斜側面と、これら傾斜側面の間に形成された底面とを有し、
上記底面は、その断面形状が該底面の幅方向全体に亘って湾曲する凹曲面を描くと共に、その幅方向両端が上記傾斜側面に滑らかに連続している、
ことを特徴とする外壁構造。
【請求項２】
外壁パネルが複数並べられた外壁構造であって、
上記外壁パネルは、表面に上下方向の全長に亘って途切れることなく形成された凹溝を有し、
左右に並ぶ上記外壁パネル間には、上記外壁パネルの上記凹溝と略同じ幅の縦目地が設けられており、
上記縦目地にはシーリング材が充填されており、
上記シーリング材には、上記外壁パネルの上記凹溝と同じ幅である凹溝が生じており、
上記外壁パネルの上記凹溝の深さが、硬化後の上記シーリング材の上記凹溝の深さと同じであり、
上記外壁パネルの上記凹溝の断面形状が円弧状をなしている、
ことを特徴とする外壁構造。
【請求項３】
上記各傾斜側面の傾斜角度は、４５°〜６０°である、
ことを特徴とする請求項１に記載の外壁構造。
【請求項４】
上記外壁パネルの上記凹溝の深さは、３〜１０ｍｍである、
ことを特徴とする請求項１〜３のいずれか１項に記載の外壁構造。
【請求項５】
上記外壁パネルは、上記凹溝として、左右横方向の凹溝と、上記上下方向の凹溝と、を有し、
上記上下方向の凹溝の深さよりも上記左右横方向の凹溝の深さは浅い、
ことを特徴とする請求項１〜４のいずれか１項に記載の外壁構造。
【請求項６】
請求項１〜５のいずれか１項に記載の外壁構造に使用される、
外壁パネル。
【発明の詳細な説明】
【技術分野】
【０００１】
本発明は、表面に凹溝を備えた外壁パネル及びこの外壁パネルを備えた外壁構造に関するものである。
【背景技術】
【０００２】
多数枚の外壁パネル材を張ることで外壁を構成する場合、上下に並ぶ外壁パネル間については、下方側外壁パネルの上縁の外面側に上方側外壁パネルの下縁を重ねることで、更には両者の対向面の間にシーリング材を介在させることで、外壁パネルの背後への雨水の浸入を防いでいる。
【０００３】
一方、左右に並ぶ外壁パネルの間の部分（縦目地）については、特許文献１に示されているように、通常、１０ｍｍほどの間隔を空けて、この部分にシーリング材（コーキング材）を充填することが行われている。
【先行技術文献】
【特許文献】
【０００４】
【特許文献１】実用新案登録第２５５３６１８号公報
【発明の概要】
【発明が解決しようとする課題】
【０００５】
外壁パネル間の縦目地へのシーリング材の充填に際しては、図４Ａに示すように、左右の外壁パネル１，１の表面とほぼ面一もしくは少し深いところに表面がくるようにシーリング材２を充填するが、シーリング材２は硬化すると痩せて凹むことになる。この痩せた後のシーリング材２の表面は、図４Ｂに示すように、緩やかな曲面を描く凹溝２０となる。なお、図中３は断面ハット型のバックアップ材である。
【０００６】
一方、多数枚のタイルを並べたタイル貼り形状のもの、つまり、格子状の凹溝１０を有する外壁パネル１では、左右方向及び上下方向に設けられた凹溝１０は、図５に示すように断面台形状のものとして形成されている。
【０００７】
この場合、シーリング材２の色と外壁パネル１の凹溝１０の部分の色とを合わせるとともにシーリング材２の凹溝２０の深さと外壁パネル１の凹溝１０の深さとを同じにしても、外壁パネル１の凹溝１０はその底部左右に角があることから、側壁と底面との境界が強調されて見えるものとなる。つまり、外壁パネル１に設けた縦方向の凹溝１０と、外壁パネル１，１間に設けたシーリング材２の凹溝２０とが異なったものと見えてしまう。従って、シーリング材２の凹溝２０、すなわち外壁パネル１，１間のシーリング材２を配した縦目地部分が目立ってしまう。
【０００８】
本発明は上記問題に鑑みてなされたもので、表面に凹溝を備えた外壁パネルの凹溝と、外壁パネル間のシーリング材を配した縦目地部分との外観差を小さくすることができる外壁パネル及びこの外壁パネルを備えた外壁構造を提供することを課題とする。
【課題を解決するための手段】
【０００９】
本発明にかかる外壁構造は、外壁パネルが複数並べられた外壁構造であって、上記外壁パネルは、表面に上下方向の全長に亘って途切れることなく形成された凹溝を有し、左右に並ぶ上記外壁パネル間には、上記外壁パネルの上記凹溝と略同じ幅の縦目地が設けられており、上記縦目地にはシーリング材が充填されており、上記シーリング材には、上記外壁パネルの上記凹溝と同じ幅である凹溝が生じており、上記外壁パネルの上記凹溝の深さが、硬化後の上記シーリング材の凹溝の深さと同じであり、上記外壁パネルの上記凹溝は、幅方向両側に形成された一対の傾斜側面と、これら傾斜側面の間に形成された底面とを有し、上記底面は、その断面形状が該底面の幅方向全体に亘って湾曲する凹曲面を描くと共に、その幅方向両端が上記傾斜側面に滑らかに連続している、ことを特徴とする。
また本発明にかかる外壁構造は、外壁パネルが複数並べられた外壁構造であって、上記外壁パネルは、表面に上下方向の全長に亘って途切れることなく形成された凹溝を有し、左右に並ぶ上記外壁パネル間には、上記外壁パネルの上記凹溝と略同じ幅の縦目地が設けられており、上記縦目地にはシーリング材が充填されており、上記シーリング材には、上記外壁パネルの上記凹溝と同じ幅である凹溝が生じており、上記外壁パネルの上記凹溝の深さが、硬化後の上記シーリング材の上記凹溝の深さと同じであり、上記外壁パネルの上記凹溝の断面形状が円弧状をなしている、ことに特徴を有している。
【００１０】
上記各傾斜側面の傾斜角度は、４５°〜６０°であることが好ましい。
【００１２】
上記外壁パネルの上記凹溝の深さは、３〜１０ｍｍである、ことが好ましい。
【００１３】
上記外壁パネルは、上記凹溝として、左右横方向の凹溝と、上記上下方向の凹溝と、を有し、上記上下方向の凹溝の深さよりも上記左右横方向の凹溝の深さは浅い、ことが好ましい。
本発明にかかる外壁パネルは、上記外壁構造に使用される。
【００１４】
また、本発明にかかる外壁構造は、上記の外壁パネルが複数並べられた外壁構造であって、左右に並ぶ外壁パネル間には、上記外壁パネルの上下方向の全長に亘って形成された上記凹溝と略同じ幅の縦目地が設けられており、この縦目地にはシーリング材が充填されていることに特徴を有している。
【発明の効果】
【００１５】
本発明によれば、外壁パネルが表面に有している凹溝と、外壁パネル間の縦目地に充填硬化されたシーリング材がその表面に有する凹溝との外観差がきわめて小さくなり、シーリング材を配した縦目地部分が目立つことがなくなる。
【図面の簡単な説明】
【００１６】
【図１】本発明の実施の形態の一例の正面図である。
【図２】同上の外壁パネルの断面図である。
【図３】同上の他例の外壁パネルの断面図である。
【図４】Ａは外壁パネル間にシーリング材を施工した直後の断面図、Ｂはシーリング材が硬化した後の状態の断面図である。
【図５】従来の外壁パネルの断面図である。
【発明を実施するための形態】
【００１７】
以下本発明を図示の実施例に基づいて詳述する。図中１は横長矩形状の外壁パネルであり、その表面には複数本の凹溝１０が左右横方向及び上下縦方向に形成されて格子状に凹溝１０が配されている。また、外壁パネル１は、いわゆる相じゃくり接続のための裏実部を上辺に備えるとともに表実部を下辺に備えているが、これら裏実部及び表実部の構成については、周知のものであるために、ここでは図示しない。
【００１８】
この外壁パネル１は、建物躯体の外面に所定間隔で立設されている胴縁（縦胴縁）に留金具で固定されることで建物躯体の外面を覆う。この時、上下に並ぶ外壁パネル１，１は、下方側の外壁パネル１の上辺の裏実部の表面側に上方側の外壁パネルの表実部が重ねられて水密的に施工される。
【００１９】
そして左右に並ぶ外壁パネル１，１間については、両者の間に縦目地となる隙間を空けておき、この隙間にシーリング材２を充填することで水密とするのであるが、このシーリング材２の表面は、前述のように硬化した後、緩やかな曲面を描く断面形状の凹溝２０を持つものとなる。なお、シーリング材２は、硬化後に生じてしまう凹溝２０の深さが外壁パネル１の凹溝１０の深さとほぼ同じとなるように施工する。
【００２０】
ここにおける外壁パネル１は、その表面に形成された凹溝１０を、底部に角がない断面形状のものとしてある。具体的には図２に示すように、４５°〜６０°の傾斜角度αを有する両傾斜側面１１，１１と、凹曲面となっている底面１２とで構成してある。底面１２は、その幅方向全体に亘って湾曲する凹曲面をなしているとともに、両傾斜側面１１，１１に滑らかに連続するものとなっている。
【００２１】
凹溝１０の深さＤは、通常、１２ｍｍ〜５０ｍｍの厚みで形成される外壁パネル１の厚みによって変わるが、３ｍｍ〜１０ｍｍ程度の深さを有するものとするのが好ましい。凹溝１０の深さを３ｍｍ未満とすると、傾斜側面１１，１１と凹曲面となっている底面１２とが不明確となり、凹溝１０が明確ではなくなる。また１０ｍｍを越える深さでは、外壁パネル１の強度基準や耐火基準等を満たしにくくなる上に、シーリング材２を配した縦目地部分との統一感を出しにくくなる。
上下方向の凹溝１０の幅Ｗは、１０ｍｍ〜１６ｍｍ程度が好ましい。１０ｍｍ未満とすると、この凹溝１０の幅に合わせた幅に形成することになる外壁パネル１，１間の縦目地部分にシーリング材２を施工することが難しくなる。また１６ｍｍを越える幅とすると、目地幅が広すぎてタイル感が生じにくくなり、外観的に問題が多くなる。
【００２２】
ちなみに、凹溝１０の傾斜側面１１の傾斜角度αを４５°〜６０°としているのは、この角度範囲以外であると、凹溝１０の幅Ｗと深さＤとの上記制限内で、傾斜側面１１と底面１２とを滑らかに連続させることができずに、角が生じてしまうためである。
【００２３】
また、凹溝１０の断面形状を曲率半径が一定の凹曲面だけで形成してもシーリング材２の表面形状に近似して凹溝１０とシーリング材２の表面との差異が目立ち難くなるが、さらに凹溝１０の断面形状を傾斜角度αを有する傾斜側面１１，１１と凹曲面の底面１２との組み合わせとすることにより、立体感を増すことができる。
【００２４】
左右横方向の凹溝１０については、従来のように台形断面のものでよいが、この場合、縦方向の凹溝１０の深さＤよりも左右横方向の凹溝１０の深さは浅くして、両凹溝１０，１０の交点で縦方向の凹溝１０が途切れることがないようにしておくことが好ましい。
【００２５】
上述のように、傾斜角度を有する傾斜側面１１と凹曲面をなす底面１２とで構成されている凹溝１０は、底部に角が全くないために、ことさら深さが強調されるようなことがない。これは、シーリング材２の充填後の硬化によって生じた縦目地の凹溝２０が、その幅を凹溝１０の幅と同じとなるように施工されるとともに、凹溝１０と同じ色のシーリング材２で施工されている場合、凹溝１０と凹溝２０の両者には外観的な違いが生じにくく、結果的にシーリング材２が目立たなくなる。
【００２６】
従って、複数枚の外壁パネル１を並べて施工した外壁は、外壁パネル１，１間の繋ぎ目が目立たずに、格子状の凹溝１０及び凹溝２０によって区切られた多数枚のタイルを一面に敷き詰めたものとして認識されることになり、良好な外観を呈するものとなる。
【００２７】
なお、シーリング材２として、弾性を有する乾式シーリング材（目地ガスケット）を用いることを妨げない。ただし、縦目地部に現れる表面が、外壁パネル１の凹溝１０と同じ幅で且つ緩やかな曲面を描く断面形状の凹溝２０を持つものとする。
【００２８】
図３に他例を示す。これは外壁パネル１の表面に設けた凹溝１０の断面形状を円弧状としたものである。この場合、上記の如く凹溝１０とシーリング材２との差異が目立ち難くなる。そして、断面形状が円弧状をなす凹溝１０の深さＤは、２ｍｍ以下の浅めであることが好ましい。上下方向の凹溝１０の幅Ｗは、１０ｍｍ〜１６ｍｍ程度が好ましい。
【符号の説明】
【００２９】
１  外壁パネル
２  シーリング材
１０  凹溝
１１  傾斜側面
１２  底面
２０  凹溝
【図１】
0006791622.tif 000002
【図２】
0006791622.tif 000003
【図３】
0006791622.tif 000004
【図４】
0006791622.tif 000005
【図５】
0006791622.tif 000006